(57)【要約】    【課題】断熱部材周辺の隙間において薬剤成分を放出して、隙間に面する床板又は建築木部に薬剤成分を染み込ませることができ、その結果、害虫駆除処理又は防腐処理のための定期的な断熱部材の取り外し作業を不要にできる、薬剤パッドを、提供すること。    【解決手段】断熱部材２と建築木部３との間の隙間４１に施工された状態で薬剤成分を放出するための、薬剤パッド５であって、被挟持部５１と当接部５２と支持部５３とを有しており、被挟持部５１及び当接部５２は、第１板状部材５６と第２板状部材５７とが重ね合わされて構成されており、支持部５３は、第３板状部材５８からなっており、第１板状部材５６は、耐水性を有しており、第２板状部材５７は、薬剤成分を吸収して保持し、保持した薬剤成分を放出する、機能を、有しており、第３板状部材５８は、薬剤成分を吸収して伝達する機能を、有している。【選択図】図２
2020172763.tif 000002
【特許請求の範囲】
【請求項１】
床板裏面に取り付けられる断熱部材と床下の建築木部との間の隙間に施工された状態で薬剤成分を放出するための、薬剤パッドであって、
前記断熱部材の側端面と前記建築木部との間に挟み込まれる、被挟持部と、
床板裏面に取り付けられた前記断熱部材の側部に下方から当接する、当接部と、
を有しており、
前記被挟持部及び前記当接部は、挟み込まれた際に前記断熱部材側に位置する第１板状部材と、挟み込まれた際に前記建築木部側に位置する第２板状部材とが、重ね合わされて構成されており、
前記第１板状部材は、耐水性を有しており、
前記第２板状部材は、薬剤成分を吸収して保持し、保持した薬剤成分を放出する、機能を、有している、
ことを特徴とする、薬剤パッド。
【請求項２】
前記当接部及び前記被挟持部を、前記建築木部に対して支持する、支持部を、更に、有しており、
前記支持部は、前記断熱部材に当接した前記当接部を下方から覆って前記建築木部に固定される、第３板状部材からなっており、
前記第３板状部材は、薬剤成分を吸収して伝達する機能を、有している、
請求項１記載の薬剤パッド。
【請求項３】
前記第２板状部材は、形態保持性を有している、
請求項１又は２に記載の薬剤パッド。
【請求項４】
前記形態保持性は、剛性構造を持たせることによって、又は、弾性を有する柔軟性を持たせることによって、実現されている、
請求項３記載の薬剤パッド。
【請求項５】
前記第２板状部材は、紙類、木綿、麻、絹、羊毛、セルロース系樹脂、キュプラ、レーヨン、アセテート、ナイロン、ビニロン、又はポリエステルで構成されている、
請求項１〜４のいずれか一つに記載の薬剤パッド。
【請求項６】
前記第１板状部材は、テフロン（登録商標）、ポリエチレン、ポリエチレンテレフタレート（ＰＥＴ）、ポリプロピレン、ポリ塩化ビニル、又は塩化ビニリデンで構成されている、
請求項１〜５のいずれか一つに記載の薬剤パッド。
【発明の詳細な説明】
【技術分野】
【０００１】
本発明は、床板裏面に取り付けられる断熱部材と床下の建築木部との間の隙間に施工された状態で薬剤成分を放出するための、薬剤パッドに関する。
【背景技術】
【０００２】
冬場において床下の冷気を遮断する目的で、及び、夏場において室内の冷気を床下に逃がさない目的で、図８に示されるように、床板１の裏面に断熱部材２を取り付けることが、従来から行われている。ところが、シロアリのような害虫は、床下のような暗く湿った環境を好むので、そのような害虫が、断熱部材２と床下の建築木部３との間の隙間４１や断熱部材２と床板１の裏面との間の隙間４２に、侵入して、床板１や建築木部３を侵食する、という問題があった。このような問題を解消するために、従来では、５年毎に断熱部材２を取り外して害虫駆除剤を散布する、ということを行っていた。
【先行技術文献】
【特許文献】
【０００３】
【特許文献１】特開２００９−０４０７１０号公報
【特許文献２】特開２００３−２６１９９４号公報
【発明の概要】
【発明が解決しようとする課題】
【０００４】
しかしながら、５年毎に断熱部材を取り外して害虫駆除剤を散布するのは、面倒である。
【０００５】
本発明は、断熱部材周辺の隙間において薬剤成分を放出して、隙間に面する床板又は建築木部に薬剤成分を染み込ませることができ、その結果、害虫駆除処理又は防腐処理のための定期的な断熱部材の取り外し作業を不要にできる、薬剤パッドを、提供することを目的としている。
【課題を解決するための手段】
【０００６】
本発明は、床板裏面に取り付けられる断熱部材と床下の建築木部との間の隙間に施工された状態で薬剤成分を放出するための、薬剤パッドであって、
前記断熱部材の側端面と前記建築木部との間に挟み込まれる、被挟持部と、
床板裏面に取り付けられた前記断熱部材の側部に下方から当接する、当接部と、
を有しており、
前記被挟持部及び前記当接部は、挟み込まれた際に前記断熱部材側に位置する第１板状部材と、挟み込まれた際に前記建築木部側に位置する第２板状部材とが、重ね合わされて構成されており、
前記第１板状部材は、耐水性を有しており、
前記第２板状部材は、薬剤成分を吸収して保持し、保持した薬剤成分を放出する、機能を、有している、
ことを特徴としている。
【発明の効果】
【０００７】
本発明の薬剤パッドによれば、次のような効果を発揮できる。
（１）断熱部材と建築木部との間の隙間において、第２板状部材に保持している薬剤成分を、第２板状部材から放出でき、断熱部材と建築木部との間の隙間及び断熱部材と床板裏面との間の隙間に行き渡らせることができ、隙間に面する床板又は建築木部に薬剤成分を染み込ませることができる。したがって、薬剤成分としてシロアリなどの害虫駆除成分を用いた場合には、害虫が床板及び建築木部に侵入するのを防止でき、害虫による床板及び建築木部の侵食を防止できる。或いは、薬剤成分として防腐成分を用いた場合には、床板及び建築木部が腐蝕するのを防止できる。
【０００８】
（２）薬剤パッドが配設された状態のまま、第２板状部材に、薬剤成分を吸収させることによって補充できる。したがって、薬剤パッドを取り外すことなく、すなわち、断熱部材を取り外すことなく、薬剤成分を第２板状部材に補充して薬剤成分の放出を継続できるので、害虫駆除処理又は防腐処理のための定期的な断熱部材の取り外し作業を不要にできる。
【図面の簡単な説明】
【０００９】
【図１】本発明の一実施形態の薬剤パッドを示す斜視図である。
【図２】薬剤パッドが配設された状態を示す断面図である。
【図３】第２板状部材の剛性構造の一例を示す図である。
【図４】薬剤パッドの配設作業の様子を示す断面図である。
【図５】図４に続く作業の様子を示す断面図である。
【図６】薬剤パッドが配設された別の例の状態を示す断面図である。
【図７】本発明の別の実施形態の薬剤パッドが配設された状態を示す断面図である。
【図８】床下における断熱部材の取付状態を示す断面図である。
【発明を実施するための形態】
【００１０】
［実施形態］
図１は、本発明の一実施形態の薬剤パッドを示す斜視図である。この薬剤パッド５は、図２に示されるように、床板１の裏面に取り付けられる断熱部材２と床下の建築木部３との間の隙間４１に挟まれるように、配設されるものである。薬剤パッド５は、断熱部材２の全周における隙間４１の全てに渡って配設される、長尺体である。
【００１１】
なお、断熱部材２としては、繊維系断熱材又は発泡プラスチック系断熱材のいずれも使用できる。繊維系断熱材としては、グラスウール、セルロースファイバー、ロックウール、インシュレーションボード等がある。発泡プラスチック系断熱材としては、ビーズ法ポリスチレンフォーム、押出法ポリスチレンフォーム、ウレタンフォーム、高発泡ポリエチレンフォーム、フェノールフォーム等がある。また、建築木部３は、大引き又は根太を含む。図２における建築木部３は、根太である。
【００１２】
薬剤パッド５は、断熱部材２の側端面２１と建築木部３との間に挟み込まれる、被挟持部５１と、床板１の裏面に取り付けられた断熱部材２の側部２０に、下方から当接する、当接部５２と、を備えており、更に、当接部５２及び被挟持部５１を、建築木部３に対して支持する、支持部５３も、備えている。
【００１３】
被挟持部５１及び当接部５２は、第１板状部材５６と第２板状部材５７とが、重ね合わされて構成されている。第１板状部材５６は、耐水性を有しており、隙間４１に挟み込まれた際に断熱部材２側に位置するようになっている。第２板状部材５７は、薬剤成分を吸収して保持し、保持した薬剤成分を放出する、機能を、有しており、隙間４１に挟み込まれた際に建築木部３側に位置するようになっている。
【００１４】
支持部５３は、断熱部材２の側部２０に下方から当接した当接部５２を、下方から覆った状態で、建築木部３に固定される、第３板状部材５８からなっている。第３板状部材５８は、薬剤成分を吸収して伝達する機能を、有している。
【００１５】
第２板状部材５７は、隙間４１において挟持された際に潰れてしまわないような形態保持性を、有している。潰れてしまうと、吸水性能、保持性能、及び放出性能が、低下するからである。形態保持性は、第２板状部材５７に、剛性構造を持たせることによって、実現できる。剛性構造としては、図３に示されるような格子状の補強フレーム６を含む構造を採用でき、又は、波状構造又はハニカム構造等を採用できる。或いは、形態保持性は、第２板状部材５７に、弾性を有する柔軟性を持たせることによって実現してもよい。
【００１６】
具体的には、第１板状部材５６は、テフロン（登録商標）、ポリエチレン、ポリエチレンテレフタレート（ＰＥＴ）、ポリプロピレン、ポリ塩化ビニル、又は塩化ビニリデンで構成され、第２板状部材５７は、紙類、木綿、麻、絹、羊毛、セルロース系樹脂、キュプラ、レーヨン、アセテート、ナイロン、ビニロン、又はポリエステルで構成され、第３板状部材５８も、紙類、木綿、麻、絹、羊毛、セルロース系樹脂、キュプラ、レーヨン、アセテート、ナイロン、ビニロン、又はポリエステルで構成される。なお、第１板状部材５６は、第２板状部材５７の表面に、上述のいずれかの材料をコーティングして作製してもよい。
【００１７】
なお、第２板状部材５７又は第３板状部材５８は、ポリエチレンテレフタレートを用いて構成してもよい。その場合には、ポリエチレンテレフタレートを用いて吸水性を発揮する構成を実現する必要があるが、例えば、毛細管作用を発揮するような構成を採用できる。
【００１８】
上記構成の薬剤パッド５の配設は、例えば、次のように行う。図４に示されるように、まず、薬剤パッド５の第１板状部材５６及び第２板状部材５７を、側端面２１に沿わせ、その状態で、断熱部材２と共に床板１の裏面に取り付けていく。これにより、図５に示されるように、第１板状部材５６及び第２板状部材５７が隙間４１において挟持される。なお、第３板状部材５８は、部分Ａにおいて接着剤によって第２板状部材５７に接合されている。次に、隙間４１から下方に露出している第１板状部材５６及び第２板状部材５７の部分Ｂを、断熱部材２側に、すなわち、矢印Ｒに示されるように、折り曲げて、接着剤によって断熱部材２に接合する。そして、第３板状部材５８の部分Ｃを、建築木部３の下面３１に、接着剤又は留め具によって、固定する。
【００１９】
なお、薬剤パッド５の第２板状部材５７は、配設前に、薬剤成分を保持していなくてもよく又は保持していてもよい。
（Ａ）配設前に第２板状部材５７が薬剤成分を保持していない場合には、次の２つの作業のいずれかによって、配設後の第２板状部材５７に薬剤成分を保持させる。
(a1)配設中において第３板状部材５８の部分Ｃを固定する前に、露出している第２板状部材５７に薬剤成分を直接にスプレー等することによって浸潤させる。
(a2)配設後において第３板状部材５８に薬剤成分を直接にスプレー等することによって浸潤させ、薬剤成分を第３板状部材５８を介して第２板状部材５７に伝達させて吸収させる。
（Ｂ）配設前に第２板状部材５７に薬剤成分を保持させるには、第２板状部材５７に薬剤成分を直接にスプレー等することによって浸潤させる。
【００２０】
上記構成の薬剤パッド５によれば、次のような作用効果を発揮できる。
（１）薬剤パッド５が図２に示されるように配設された状態において、第２板状部材５７に保持されている薬剤成分が、第２板状部材５７から持続的に放出されていき、隙間４１及び隙間４２に行き渡っていき、隙間４１、４２に面する床板１又は建築木部３に染み込んでいく。したがって、薬剤成分としてシロアリなどの害虫駆除成分を用いた場合には、害虫が床板１及び建築木部３に侵入するのを防止でき、害虫による床板１及び建築木部３の侵食を防止できる。或いは、薬剤成分として防腐成分を用いた場合には、床板１及び建築木部３が腐蝕するのを防止できる。
【００２１】
（２）薬剤成分を第２板状部材５７に補充できる。すなわち、薬剤パッド５を図２に示されるように配設して一定期間が経過すると、第２板状部材５７に保持されている薬剤成分及び建築木部３に付着している薬剤成分が劣化する。その際、配設された状態の薬剤パッド５の第３板状部材５８に、薬剤成分を吸収させると、薬剤成分が、第２板状部材５７に伝達され、第２板状部材５７によって吸収され、その結果、第２板状部材５７に補充される。そして、薬剤成分が補充された第２板状部材５７は、引き続き、薬剤成分を放出する。したがって、薬剤パッド５を取り外すことなく、すなわち、断熱部材２を取り外すことなく、薬剤成分を第２板状部材５７に補充して薬剤成分の放出を継続できるので、害虫駆除処理又は防腐処理のための定期的な断熱部材２の取り外し作業を不要にできる。
【００２２】
［変形形態］
（１）上記実施形態では、薬剤パッド５を、断熱部材２と「根太」である建築木部３との間の隙間４１に配設しているが、図６に示されるように、薬剤パッド５を、断熱部材２と「大引き」である建築木部３との間の隙間４１に配設してもよい。この場合には、第３板状部材５８の部分Ｃを、建築木部３の側面３２に、接着剤又は留め具によって、固定する。
【００２３】
（２）図７は、本発明の別の実施形態の薬剤パッド５Ａが配設された状態を示す断面図である。本実施形態の薬剤パッド５Ａは、上記実施形態の薬剤パッド５に対して、第３板状部材５８を備えていない点のみが異なっており、他の構成は同じである。
【００２４】
薬剤パッド５Ａによっても、上記実施形態の薬剤パッド５と同様の作用効果を発揮できる。しかも、薬剤パッド５Ａによれば、第２板状部材５７の露出している部分Ｄから、薬剤成分を第２板状部材５７に直接に吸収させることができるので、薬剤成分の補充作業を容易に実行できる。
【産業上の利用可能性】
【００２５】
本発明の薬剤パッドは、害虫駆除又は防腐処理のための定期的な断熱部材の取り外し作業を不要にできるので、産業上の利用価値が大である。
【符号の説明】
【００２６】
１  床板
２  断熱部材
２０  側部
２１  側端面
３  建築木部
５、５Ａ  薬剤パッド
５１  被挟持部
５２  当接部
５３  支持部
５６  第１板状部材
５７  第２板状部材
５８  第３板状部材
【図１】
2020172763.tif 000003
【図２】
2020172763.tif 000004
【図３】
2020172763.tif 000005
【図４】
2020172763.tif 000006
【図５】
2020172763.tif 000007
【図６】
2020172763.tif 000008
【図７】
2020172763.tif 000009
【図８】
2020172763.tif 000010